(57)【特許請求の範囲】
【請求項１】
撥水性のコーティングが施された天板に五徳を載置するこんろにおいて、上記天板には五徳が載置される載置部の外側に立ち上がった壁面部が形成されており、該天板に、上記壁面部に当接するガイド部と五徳が載置される保持部とからなる断面略Ｌ字状の撥水性を備えた樹脂で形成されたスペーサを取り付け、該スペーサ上に五徳を載置するようにしたことを特徴とするこんろ。
【請求項２】
上記スペーサに突起を設けると共に天板に貫通穴を形成し、該貫通穴に突起を挿入してスペーサを天板に取り付けるようにしたことを特徴とする請求項１記載のこんろ。
【請求項３】
上記載置部には、プレス加工により１段高い段部が形成され、上記スペーサは該突部上に取り付けられることを特徴とする請求項１又は２記載のこんろ。
【発明の詳細な説明】
【０００１】
【発明の属する技術分野】
本発明は、フッ素コーティング等の撥水性のコーティングが施された天板に五徳を載置するこんろに関する。
【０００２】
【従来の技術】
ガスこんろ等のこんろの天板には調理中の鍋から吹きこぼれた煮汁等を拭き取りやすくするため、フッ素コーティング等の撥水性のコーティングを施す場合がある。一方、天板には五徳を載置するが、五徳は一般に鉄製であるため、五徳を天板にそのまま載置すると天板の表面に五徳が擦れてコーティングに傷が付き、あるいはコーティングが剥がれ、その部分に付着した煮汁等を拭き取りにくくなる。
【０００３】
このような不具合を解決するものとして、例えば特開平７−２１７９１１号公報により、コーティングされた天板の五徳が載置される部分に天板から突起を突出させるようにしたものであって、プレス加工により天板に一体に突起を形成し、あるいは天板に貫設したねじ穴に螺合させたねじを突起とし、または天板に設けた貫通穴に圧入したスペーサを突起とするものが知られている。
【０００４】
【発明が解決しようとする課題】
ところが、天板に一体に突起を形成するものでは、コーティングが剥がれるのは突起の頂上部分に限られるものの、やはりコーティングが剥がれる部分が生じ、その部分に付着した煮汁等を拭き取りにくくなる。また、ねじを螺合させたりスペーサを圧入するものではねじやスペーサに付いた煮汁等は拭き取りにくく、特に天板とねじやスペーサとの境界部分は段状になり布巾等が届きにくくなるため、ねじやスペーサに付着した煮汁等を拭き取ることは特に困難になる。更に、天板のねじ穴にねじを螺合させるものや貫通穴にスペーサを圧入するものでは、ねじやスペーサと天板との間に煮汁等がしみ込んでねじ穴や貫通穴を通って天板の下に煮汁等が回り込むという不具合が生じる。
【０００５】
そこで本発明は、上記の不具合に鑑み、吹きこぼれた煮汁等を拭き取りやすく、また天板の下に煮汁等が回り込まないこんろを提供することを課題とする。
【０００６】
【課題を解決するための手段】
上記課題を解決するために本発明は、撥水性のコーティングが施された天板に五徳を載置するこんろにおいて、上記天板には五徳が載置される載置部の外側に立ち上がった壁面部が形成されており、該天板に、上記壁面部に当接するガイド部と五徳が載置される保持部とからなる断面略Ｌ字状の撥水性を備えた樹脂で形成されたスペーサを取り付け、該スペーサ上に五徳を載置するようにしたことを特徴とする。
【０００７】
尚、上記スペーサに突起を設けると共に天板に貫通穴を形成し、該貫通穴に突起を挿入してスペーサを天板に取り付けるようにしてもよい。
【０００８】
また、上記載置部に、プレス加工により１段高い段部を形成しスペーサを該突部上に取り付けるようにしてもよい。
【０００９】
撥水性を備えた樹脂でスペーサを形成することにより、煮汁等がスペーサに付着しても液滴となって天板上に垂れ落ち、スペーサやスペーサと天板との境界部分に煮汁等がこびりつくことはなく、汚れを拭き取りやすい。また、スペーサを形成する樹脂自体が撥水性を備えているのでスペーサに五徳が擦れてもスペーサの撥水性は損なわれない。
【００１０】
また、スペーサを上記のごとく略Ｌ字状に形成するとガイド部が五徳の水平方向の移動を規制し壁面部に五徳が直接当たることを防止する。
【００１１】
一方、スペーサを貫通穴に挿入して取り付けるようにしても、天板とスペーサとの双方共に撥水性を備えているため、天板とスペーサとの間を伝って煮汁等がしみ込まず、従って煮汁等が天板の下に回り込むことがない。
【００１２】
また、スペーサを突部上に取り付けることによりスペーサの取付位置に煮汁等が溜まりにくくなる。
【００１３】
【発明の実施の形態】
図１を参照して、１はシステムキッチンのカウンタトップに懸架して取り付けられるガスこんろであり、該ガスこんろ１の上面には天板２が取り付けられており、更に該天板１の上面には五徳３が載置されている。該天板２の少なくとも上面は全体にわたってフッ素コーティング等の撥水性のコーティングが施されている。該天板２の周縁近傍には五徳３を載置するための段状の載置部２１が形成されている。該載置部２１には所定間隔を存して複数の突部２２がプレス加工により天板に一体に形成されている。該突部２２は載置部２１からなだらかに立ち上がるように形成されており、煮汁等を拭きやすくしている。また、該載置部２１の外側には立ち上がった壁面部２３が該載置部２１に連続して形成されている。そして、突部２２上には断面が略Ｌ字状のスペーサ４が取り付けられている。該スペーサ４は壁面部２３に当接するガイド部４１と五徳３が載置される保持部４２とから形成されている。該スペーサ４は撥水性を備えた樹脂で形成されている。撥水性を有しておれば特に樹脂の種類を限定するのもではないが、例えばテトラフルオロエチレン−パーフルオロアルキルビニルエーテル共重合体（ＰＦＡ）等のフッ素樹脂が適している。
【００１４】
ところで、該スペーサ４は突部２２から外れなければどのように取り付けてもよいが、本実施形態では壁面部２３に貫通穴２４を設けると共に、ガイド部４１の裏面にボス状の突起４３を形成し、該突起４３を貫通穴２４に挿入することによりスペーサ４を突部２２上からずれないようにしている。尚、五徳３は縦長断面の鋼材を矩形に折り曲げた枠体部３１と、該枠体部３１の適所に溶接した爪部３２とから構成されている。そして、枠体部３１が保持部４２上に当接するように五徳３がスペーサ４に載置されると、枠体部３１の外周面と壁面部２３とが近接対向し、該ガイド部４１によって五徳３の水平方向の位置決めがされる。また、壁面部２３は撥水性のコーティングが施されスペーサ４は撥水性を備えているので、壁面部２３とスペーサ４との間には煮汁等ははじかれて入り込まない。また、スペーサ４に煮汁等が付着しても容易に拭き取ることができる。ところで、図３においてＴはガスこんろ１が取り付けられるカウンタトップを示し、Ｂは熱源としてのバーナを示す。
【００１５】
尚、上記実施形態ではガイド部４１の裏面に突起４３を形成し、壁面部２３に貫通穴２４を設けたが、保持部４２の裏面に突起を形成すると共に突部２２に貫通穴を設けてスペーサを取り付けるようにしてもよい。このように構成しても突部２２が載置部２１より１段高くなっていると共に、突部２とスペーサ４との双方ともに撥水性を備えているので、煮汁等は突部２２とスペーサ４との間に入り込みにくい。但し、上記実施形態に示したようにガイド部４１の裏面に突起４３を形成した方が貫通穴２４の位置が高くなるので更に煮汁等が入りにくい。
【００１６】
ところで、上記実施形態で示した形状のものに限られるものではなく、例えば図４に示すように、五徳３の爪部３２を保持する枠体部３３が板状に形成され、天板２と汁受け皿２０との係合部分に煮汁等がかかることを防止する庇として機能するものに適用してもよい。また、天板はその他の形状のものであってもよく、ガスこんろの上面に取り付けられるものであって、撥水性のコーティングが施されると共に、そのコーティングがされた面に五徳が載置されるものすべてを含むものである。尚、上記実施形態では熱源としてガスバーナを用いたが、電気ヒータ等の他の熱源を用いてもよい。
【００１７】
【発明の効果】
以上の説明から明らかなように、本発明は、撥水性のコーティングが施された天板と五徳との間に撥水性を備えたスペーサを介在させたので、天板に施したコーティングが剥がれることが無く、且つスペーサに付着した煮汁等を容易に拭き取ることができる。
【図面の簡単な説明】
【図１】本発明の一実施の形態の構成を示す図
【図２】取り付けられた状態のスペーサを示す斜視図
【図３】スペーサに五徳が載置された状態を示す断面図
【図４】他の実施の形態の構成を示す図
【符号の説明】
１  ガスこんろ
２  天板
３  五徳
４  スペーサ
【図１】
0003745017.tif 000002
【図２】
0003745017.tif 000003
【図３】
0003745017.tif 000004
【図４】
0003745017.tif 000005